(57)【要約】本発明は、両性界面活性剤を含む水溶性単位用量物品、その製造方法及び使用方法に関する。
2019523338.tif 000002
【特許請求の範囲】
【請求項１】
水溶性フィルムと、液体洗濯洗剤組成物と、を含む、水溶性単位用量物品であって、前記液体洗濯洗剤組成物は、非石鹸アニオン性界面活性剤と、両性界面活性剤と、を含む、水溶性単位用量物品。
【請求項２】
前記両性界面活性剤が、アミンオキシドであり、より好ましくは、前記アミンオキシドは、Ｃ１２〜１４ジメチルアミンオキシド又はＣ１２〜１４アミドプロピルジメチルアミンオキシドから選択され、好ましくはＣ１２〜１４ジメチルアミンオキシド、最も好ましくは直鎖状Ｃ１２〜１４ジメチルアミンオキシドから選択される、請求項１に記載の水溶性単位用量物品。
【請求項３】
前記液体洗濯洗剤組成物が、前記液体洗剤組成物の０．０１重量％〜２０重量％、好ましくは０．２重量％〜１５重量％、より好ましくは０．５重量％〜１０重量％、最も好ましくは１重量％〜５重量％の前記両性界面活性剤を含む、請求項１又は２に記載の水溶性単位用量物品。
【請求項４】
前記非石鹸アニオン性界面活性剤が、直鎖状アルキルベンゼンスルホネート、アルキルサルフェート、アルコキシル化アルキルサルフェート、又はこれらの混合物から選択され、好ましくは、前記非石鹸アニオン性界面活性剤は、直鎖状アルキルベンゼンスルホネート及びアルコキシル化アルキルサルフェートを含み、直鎖状アルキルベンゼンスルホネートとアルコキシル化アルキルサルフェートとの重量比は、２：１〜１：８、好ましくは１：１〜１：５、最も好ましくは１：１．２５〜１：４である、請求項１〜３のいずれか一項に記載の水溶性単位用量物品。
【請求項５】
前記液体洗剤組成物の５重量％〜４５重量％、好ましくは１０重量％〜４０重量％、より好ましくは１５重量％〜３５重量％、最も好ましくは２０重量％〜３０重量％の前記非石鹸アニオン性界面活性剤を含む、請求項４に記載の水溶性単位用量物品。
【請求項６】
前記液体洗濯洗剤組成物が、非イオン性界面活性剤を含み、好ましくは、前記非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択され、好ましくは、前記液体洗濯洗剤組成物は、前記液体洗濯洗剤組成物の１重量％〜２５重量％、好ましくは１．５重量％〜２０重量％、最も好ましくは２重量％〜１５重量％の前記非イオン性界面活性剤を含む、請求項１〜５のいずれか一項に記載の水溶性単位用量物品。
【請求項７】
前記非石鹸アニオン性界面活性剤と前記非イオン性界面活性剤との重量比が、１：１〜２０：１、好ましくは１．３：１〜１５：１、より好ましくは１．５：１〜１０：１である、請求項１〜６のいずれか一項に記載の水溶性単位用量物品。
【請求項８】
前記液体洗剤組成物が、前記液体洗剤組成物の１重量％〜２５重量％、好ましくは１．５重量％〜２０重量％、より好ましくは１重量％〜２５重量％、好ましくは１．５重量％〜２０重量％、最も好ましくは２重量％〜１５重量％の石鹸を含む、請求項１〜７のいずれか一項に記載の水溶性単位用量物品。
【請求項９】
前記水溶性フィルムが、ポリマー水溶性フィルムであり、好ましくは、前記ポリマーフィルムは、ポリビニルアルコールを含む、請求項１〜８のいずれか一項に記載の水溶性単位用量物品。
【請求項１０】
色相染料、ポリマー、ビルダー、移染防止剤、分散剤、酵素、酵素安定剤、触媒材料、漂白剤、漂白活性化剤、ポリマー分散剤、再付着防止剤、泡抑制剤、審美的染料、乳白剤、香料、香料送達系、構造化剤、ヒドロトロープ、加工助剤、顔料、及びこれらの混合物から選択される、補助成分を含む、請求項１〜９のいずれか一項に記載の水溶性単位用量物品。
【請求項１１】
前記液体洗剤組成物が、ＴＡ  Ｒｈｅｏｍｅｔｅｒ  ＡＲ２０００を２５℃で使用して測定したとき、０．５ｓ−１の剪断速度で、少なくとも２Ｐａ・ｓの粘度を有し、好ましくは、前記液体洗剤組成物が、ＴＡ  Ｒｈｅｏｍｅｔｅｒ  ＡＲ２０００を２５℃で使用して測定したとき、０．５ｓ−１の剪断速度で、２Ｐａ・ｓ〜３５Ｐａ・ｓ、好ましくは２．５Ｐａ・ｓ〜３０Ｐｓ・ａ、より好ましくは３Ｐａ・ｓ〜２５Ｐａ・ｓ、更により好ましくは５Ｐａ・ｓ〜２０Ｐａ・ｓ、最も好ましくは１０Ｐａ・ｓ〜１６Ｐａ・ｓの粘度を有する、請求項１〜１０のいずれか一項に記載の水溶性単位用量物品。
【請求項１２】
前記液体洗濯洗剤組成物が、式（Ｉ）の環状ジアミンを含む、請求項１〜１１のいずれか一項に記載の水溶性単位用量物品
【化１】
2019523338.tif 000007
（式中、Ｒのうちの２つは、ＮＨ２、（Ｃ１〜Ｃ４）ＮＨ２、及びこれらの混合物からなる群から選択され、残りのＲは、独立して、Ｈ、１〜１０個の炭素原子を有する直鎖状又は分枝鎖状のアルキル又はアルケニルから選択される）。
【請求項１３】
再封止可能な容器と、前記容器内に含まれる請求項１〜１２のいずれか一項に記載の少なくとも１つの水溶性単位用量物品と、を含む、パッケージ製品。
【請求項１４】
優れた油脂洗浄の利点及び早期破裂した単位用量物品からの液体漏出の減少を提供するための、請求項１〜１２のいずれか一項に記載の水溶性単位用量物品内に含まれる液体洗剤組成物中の両性界面活性剤の使用。
【請求項１５】
請求項１〜１２のいずれか一項に記載の水溶性単位用量物品を作製する方法であって、前記液体洗濯洗剤組成物が、前記非石鹸アニオン性界面活性剤を含むベース組成物を調製し、前記ベース組成物に前記両性界面活性剤を添加することによって調製され、前記両性界面活性剤は、粉末の形態又はプレミックスの形態で添加され、前記プレミックスが、前記両性界面活性剤と、好ましくはアルコール、ポリオール、グリコール、又はこれらの混合物から選択される非水性溶媒と、を含む、方法。
【発明の詳細な説明】
【技術分野】
【０００１】
本発明は、両性界面活性剤を含む水溶性単位用量物品、その製造方法及び使用方法に関する。
【背景技術】
【０００２】
水溶性単位用量物品は、その利便性と使い易さから消費者に好まれる。消費者はまた、洗剤の投入量を計量する必要がないことにより、計量操作中の偶発的な漏出をなくすという事実を好む。偶発的な計量は、面倒かつ不便であり得る。
【０００３】
しかし、水溶性単位用量物品の課題は、使用前の早期破裂の可能性である。特に、洗剤組成物が液体である場合、早期破裂は、保管容器中及び計量操作中の両方で、漏出をもたらし、面倒な状態を引き起こし得る。更に、容器内での漏出は、隣接する単位用量物品に悪影響を及ぼす場合があり、これは、破裂した単位用量物品の使用だけでなく、隣接する単位用量物品の使用も面倒かつ不便になることを意味する。
【０００４】
破裂した単位用量物品からの漏出量を減らすために、液体洗剤組成物の粘度を増大させることができる。しかしながら、そのような粘度の増大には、レオロジー変性剤の使用を要する。レオロジー変性剤は、洗浄効果の利点を提供せず、粘度を増大させることのみに作用する。これは、成分を配合するための空間が限られている水溶性単位用量物品において問題となり得る。したがって、レオロジー変性剤の添加は、レオロジー変性剤を配合するための空間を作るために洗浄活性剤の量を小さくすることから、洗浄性能に悪影響を及ぼし得る。
【発明の概要】
【発明が解決しようとする課題】
【０００５】
したがって、早期破裂した単位用量物品から漏出する液体洗剤の量を最小限に抑えながらも、優れた洗浄性能又は更には改善された洗浄性能を提供する水溶性単位用量物品が、当該技術分野において求められている。
【０００６】
驚くべきことに、液体洗剤組成物を含む水溶性単位用量物品であって、液体洗剤組成物が両性界面活性剤を含む、水溶性単位用量物品が、上述の技術上の問題を解決することが見出された。
【課題を解決するための手段】
【０００７】
本発明は、水溶性フィルムと、液体洗濯洗剤組成物と、を含む、水溶性単位用量物品であって、液体洗濯洗剤組成物は、非石鹸アニオン性界面活性剤と、両性界面活性剤と、を含む、水溶性単位用量物品を開示する。
【０００８】
本発明の第２の態様は、再封止可能な容器と、当該容器内に含まれる本発明に係る少なくとも１つの水溶性単位用量物品と、を含む、パッケージ製品である。
【０００９】
本発明の第３の態様は、優れた油脂洗浄の利点及び早期破裂した単位用量物品からの液体漏出の減少を提供するための、本発明に係る水溶性単位用量物品内に含まれる液体洗剤組成物中の両性界面活性剤の使用である。
【００１０】
本発明の第４の態様は、本発明に係る水溶性単位用量物品を作製する方法であって、液体洗濯洗剤組成物が、非石鹸アニオン性界面活性剤を含むベース組成物を調製し、当該ベース組成物に両性界面活性剤を添加することによって調製され、両性界面活性剤は、粉末の形態又はプレミックスの形態で添加され、当該プレミックスが、両性界面活性剤と、好ましくはアルコール、ポリオール、グリコール、又はこれらの混合物から選択される非水性溶媒と、を含む、方法である。
【図面の簡単な説明】
【００１１】
【図１】液体洗剤放出試験の基本構成の略図を示す。
【発明を実施するための形態】
【００１２】
水溶性単位用量物品
本発明は、水溶性フィルムと、液体洗濯洗剤組成物と、を含む、水溶性単位用量物品を開示する。水溶性フィルム及び液体洗剤組成物について、以下により詳細に説明する。
【００１３】
水溶性単位用量物品は、単位用量物品が水溶性フィルムによって取り囲まれた少なくとも１つの内部区画を含むような形状の水溶性フィルムを含む。単位用量物品は、内部区画を画定するように互いに封止された、第１の水溶性フィルムと、第２の水溶性フィルムとを含んでよい。水溶性単位用量物品は、保管中に洗剤組成物が区画から漏れ出さないように構成される。しかし、水溶性単位用量物品を水に添加する際、水溶性フィルムが溶解して、内部区画の内容物が洗浄液中に放出される。
【００１４】
区画は、洗剤組成物を保持する、単位用量物品内の密閉された内部空間を意味する、と理解すべきである。製造中、第１の水溶性フィルムは、洗剤組成物が添加される開口区画を含むような形状でよい。次に、区画の開口部を閉じる向きで、第１のフィルムを第２の水溶性フィルムで覆う。第１及び第２のフィルムを、次に、封止領域に沿って共に封止する。
【００１５】
単位用量物品は、２つ以上の区画、更には少なくとも２つの区画、又は更には少なくとも３つの区画を含んでよい。区画は、重ね合わせる配向で、即ち、一方が他方の上に位置するように配置されてよい。このような配向では、単位用量物品は、上部、中央及び下部の３つのフィルムを含む。あるいは、区画は、平行した配向で、即ち、一方が他方に隣接する配向で位置してよい。区画は、更に「タイヤ及びリム」配置での配向であってよく、即ち、第１の区画が第２の区画に隣接して位置するが、第１の区画が第２の区画を少なくとも部分的に取り囲み、しかし、第２の区画を完全には囲まない。あるいは、１つの区画が別の区画内に完全に囲まれてもよい。
【００１６】
単位用量物品が少なくとも２つの区画を含む場合、区画のうちの１つがその他の区画より小さくてもよい。単位用量物品が少なくとも３つの区画を含む場合、区画のうちの２つが第３の区画より小さくてもよく、また好ましくは小さい方の区画が大きい方の区画上に重ね合わせられていてもよい。重ね合わせられた区画は、好ましくは平行して配向される。
【００１７】
多区画配向では、本発明による洗剤組成物が区画の少なくとも１つ内に含まれてもよい。例えば、洗剤組成物は１つの区画のみに含まれてもよく、あるいは２つの区画、又は更には３つの区画に含まれてもよい。
【００１８】
各区画は、同一の組成物又は異なる組成物を含んでもよい。異なる組成物は全て同一形態であってもよい、又は異なる形態であってもよい。
【００１９】
水溶性単位用量物品は少なくとも２つの内部区画を含んでよく、液体洗濯洗剤組成物が本区画の少なくとも１つ内に含まれ、好ましくは、単位用量物品が少なくとも３つの区画を含み、洗剤組成物が本区画の少なくとも１つ内に含まれる。
【００２０】
水溶性フィルム
本発明のフィルムは、水溶性又は水分散性である。水溶性フィルムは、好ましくは、ポリビニルアルコール又はそのコポリマーを含む。好ましくは、水溶性フィルムは、少なくとも２種の異なるポリビニルアルコールホモポリマー、少なくとも２種の異なるポリビニルアルコールコポリマー、少なくとも１種のポリビニルアルコールホモポリマーと少なくとも１種のポリビニルアルコールコポリマー、又はこれらの組み合わせの配合物を含む。
【００２１】
好ましくは、水溶性フィルムは、単位用量物品への変形前に、５０マイクロメートル〜１００マイクロメートル、好ましくは７０マイクロメートル〜９０マイクロメートルの厚さを有する。
【００２２】
好ましくは、最大孔径が２０μｍのガラスフィルタの使用後に、本明細書に記載の方法によって測定したフィルムの水溶性は、少なくとも５０％、好ましくは少なくとも７５％、又は更には少なくとも９５％である。
【００２３】
予め秤量した３Ｌのビーカーに、５グラム±０．１グラムのフィルム材料を添加し、２Ｌ±５ｍＬの蒸留水を添加する。これを、電磁攪拌器（Ｌａｂｌｉｎｅモデル番号１２５０又は等価物）及び５ｃｍの電磁攪拌子により、３０℃にて３０分間、６００ｒｐｍで激しく攪拌する。その後、混合物を、上記で定義した孔径（最大２０μｍ）の折り畳んだ定性分析用焼結ガラス濾過器により濾過する。任意の従来の方法によって、回収した濾液から水を乾燥させ、残った材料の重量を求める（これが溶解画分又は分散画分である）。次に、溶解度又は分散性の百分率を計算することができる。
【００２４】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００２５】
パウチ材料として使用するのに好適な好ましいポリマー、コポリマー、又はそれらの誘導体は、ポリビニルアルコール、ポリビニルピロリドン、ポリアルキレンオキサイド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００２６】
好ましくは、水溶性単位用量物品は、ポリビニルアルコールを含む。
【００２７】
また、ポリマーの混合物をパウチ材料として使用してもよい。これは、その用途及び必要とされるニーズに応じて、区画又はパウチの機械的特性及び／又は溶解特性を制御するのに有益であり得る。好適な混合物には、例えば、１つのポリマーの水溶性が別のポリマーよりも高く、及び／又は１つのポリマーの機械的強度が別のポリマーよりも高い、混合物が挙げられる。また、異なる重量平均分子量のポリマーの混合物、例えば、約１０，０００〜４０，０００、好ましくは２０，０００前後の重量平均分子量のＰＶＡ又はそのコポリマーと、約１００，０００〜３００，０００、好ましくは１５０，０００前後の重量平均分子量のＰＶＡ又はそのコポリマーとの混合物も好適である。また、ポリマーブレンド組成物、例えば、加水分解により分解可能な水溶性のポリマーブレンド（ポリラクチド及びポリビニルアルコールを混合することにより得られ、典型的には約１〜３５重量％のポリラクチドと、約６５〜９９重量％のポリビニルアルコールとを含む、ポリラクチドとポリビニルアルコールとのポリマーブレンドなど）を含むポリマーブレンド組成物も、本明細書において好適である。
【００２８】
本明細書において使用するのに好ましいものは、約６０％〜約９８％加水分解され、好ましくは約８０％〜約９０％加水分解され、材料の溶解特性が向上したＰＶＡポリマーである。
【００２９】
好ましいフィルムは、冷水、すなわち、加熱されていない蒸留水中で良好な溶解を呈するものである。好ましくは、このようなフィルムは、２４℃、更により好ましくは１０℃の温度で、良好な溶解を呈する。良好な溶解とは、上述の最大孔径が２０μｍのガラスフィルタの使用後に、本明細書に記載の方法により測定したフィルムの呈する水溶性が、少なくとも５０％、好ましくは少なくとも７５％、又は更には少なくとも９５％であることを意味する。
【００３０】
好ましいフィルムは、Ｍｏｎｏｓｏｌにより供給されるものである。
【００３１】
ＰＶＡ樹脂は、本明細書に記載されるフィルム内の全ＰＶＡ樹脂含有量の、約３０〜約８５重量％の第１のＰＶＡポリマー、又は約４５〜約５５重量％の第１のＰＶＡポリマーを含むことができる。例えば、ＰＶＡ樹脂は、各ＰＶＡポリマーを約５０重量％含有することができ、第１のＰＶＡポリマーの粘度は約１３ｃＰであり、第２のＰＶＡポリマーの粘度は約２３ｃＰである（２０℃で脱塩水中の４％ポリマー溶液として測定）。
【００３２】
好ましくはこのフィルムは、少なくとも２つの異なるポリビニルアルコールホモポリマー及び／又はコポリマーの配合物を含む。
【００３３】
最も好ましくは、この水溶性フィルムは、少なくとも２つの異なるポリビニルアルコールホモポリマーの配合物を含み、特に平均分子量が異なる少なくとも２つの異なるポリビニルアルコールホモポリマーの配合物を含み、特に、２つの異なるポリビニルアルコールホモポリマーの配合物の、第１のＰＶＯＨホモポリマーと第２のＰＶＯＨホモポリマーについて、平均粘度の差の絶対値｜μ２−μ１｜が、脱塩水中の４％ポリマー溶液として測定したとき、５ｃＰ〜約１５ｃＰの範囲であり、かつ、両方のホモポリマーが、８５％〜９５％、好ましくは８５％〜９０％の平均加水分解度を有する、２つの異なるポリビニルアルコールホモポリマーの配合物を含む。第１のホモポリマーは好ましくは、平均粘度が１０〜２０ｃＰ、好ましくは１０〜１５ｃＰであり、第２のホモポリマーは好ましくは、平均粘度が２０〜３０ｃＰ、好ましくは２０〜２５ｃＰである。最も好ましくは、この２つのホモポリマーは、４０／６０〜６０／４０の重量％の比率で配合される。
【００３４】
あるいは、この水溶性フィルムは、ポリビニルアルコールとアニオン変性モノマー単位とを含む少なくとも１種のコポリマーを含有するポリマーブレンドを含む。特に、このポリマーブレンドは、ポリビニルアルコールホモポリマーと、ポリビニルアルコール及びアニオン変性モノマー単位を含むコポリマーとを、９０／１０〜５０／５０の重量％比率で含み得る。あるいは、このポリマーブレンドは、ポリビニルアルコール及びアニオン変性モノマー単位を含む２つの異なるコポリマーを、９０／１０〜１０／９０の重量％比率で含み得る。
【００３５】
ＰＶＯＨコポリマーに使用できるアニオン性モノマー単位の一般的な種類は、モノカルボン酸ビニルモノマー、そのエステル及び無水物、重合可能な二重結合を有するジカルボン酸モノマー、そのエステル及び無水物、ビニルスルホン酸モノマー、並びに前述のいずれかのアルカリ金属塩に対応するビニル重合単位を含む。好適なアニオン性モノマーの例としては、ビニルアニオン性モノマーに対応するビニル重合単位が挙げられ、このビニルアニオン性モノマーには、ビニル酢酸、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記のアルカリ金属塩（例えば、ナトリウム塩、カリウム塩、又は他のアルカリ金属塩）、上記のエステル（例えば、メチル、エチル、又は他のＣ１〜Ｃ４又はＣ６アルキルエステル）、及びこれらの組み合わせ（例えば、複数のタイプのアニオン性モノマー、又は同じアニオン性モノマーの同等物）が挙げられる。一態様において、このアニオン性モノマーは、アクリルアミドメチルプロパンスルホン酸（例えば、２−アクリルアミド−１−メチルプロパンスルホン酸、２−アクリルアミド−２−メチルプロパンスルホン酸、２−メチルアクリルアミド−２−メチルプロパンスルホン酸）、そのアルカリ金属塩（例えばナトリウム塩）、及びこれらの組み合わせのうちの１つ又は２つ以上であり得る。一態様において、このアニオン性モノマーは、マレイン酸モノメチル、そのアルカリ金属塩（例えばナトリウム塩）、及びこれらの組み合わせのうちの１つ又は２つ以上であり得る。
【００３６】
ＰＶＯＨコポリマーにおける１種又は２種以上のアニオン性モノマー単位の組み込みのレベルは、特に限定されない。いくつかの態様において、１種又は２種以上のアニオン性モノマー単位は、ＰＶＯＨコポリマー中に、個別に又は合計で、約２モル％〜約１０モル％の範囲の量で存在する（例えば、種々の実施形態において、少なくとも２．０、２．５、３．０、３．５若しくは４．０モル％、かつ／又は最大約３．０、４．０、４．５、５．０、６．０、８．０若しくは１０モル％）。
【００３７】
当然のことながら、異なるフィルム材料及び／又は異なる厚さのフィルムを、本発明の区画の作製に用いてよい。異なるフィルムを選択する利点は、得られる区画が異なる溶解性又は放出特性を呈し得ることである。
【００３８】
また、本明細書のフィルム材料は、１つ又は２つ以上の添加剤含有成分を含んでもよい。例えば、可塑剤、例えばグリセロール、エチレングリコール、ジエチレングリコール、プロピレングリコール、ジプロピレングリコール、ソルビトール、及びこれらの混合物を加えることが有益であり得る。他の添加剤としては、水及び機能性洗剤添加剤を挙げることができ、それは、洗浄水に送達される界面活性剤、例えば有機ポリマー分散剤などをはじめとするものでよい。
【００３９】
フィルムは、不透明でも、透明でも、半透明でもよい。フィルムは、プリントされた領域を含んでもよい。プリントされた領域は、フィルム表面の１０％〜８０％、又は区画の内部空間と接触しているフィルム表面の１０％〜８０％、又はフィルム表面の％１０〜８０％及び区画表面の１０％〜８０％に及んでいてよい。
【００４０】
印刷領域は、フィルムの連続した部分に及んでいてもよく、又は連続した部分の一部、即ち印刷の狭い方の領域に及んでいてもよく、その合計が、フィルム表面若しくは区画の内部空間と接触するフィルム表面、又はその両方の１０％〜８０％に相当する。
【００４１】
印刷領域は、インク、顔料、染料、青味剤、又はこれらの混合物を含んでよい。印刷領域は、不透明でも、半透明でも、透明でもよい。
【００４２】
印刷領域は単色を含んでもよい、又は複数色、更には３色を含んでもよい。印刷領域は、白色、黒色、青色、赤色、又はこれらの混色を含んでもよい。印刷は、フィルム表面上に層として存在してよい、又はフィルム内に少なくとも部分的に浸透していてもよい。フィルムは、第１の面及び第２の面を含む。印刷領域は、フィルムのいずれかの片面上に存在してよい、又はフィルムの両面上に存在してよい。あるいは、印刷領域は、フィルム本体内に少なくとも部分的に含まれてよい。
【００４３】
プリント領域はインクを含んでもよく、インクは顔料を含む。フィルム上にプリントするためのインクは、好ましくは所望の水中分散等級のものである。インクは、白色、赤色、及び黒色をはじめとする任意の色でよい。インクは、重量当たり１０％〜８０％、又は２０％〜６０％、又は２５％〜４５％の水を含む水系インクでよい。インクは、重量当たり２０％〜９０％、又は４０％〜８０％、又は５０％〜７５％の固形分を含んでもよい。
【００４４】
インクの粘度は、剪断速度１０００ｓ−１、２０℃で測定し、１〜６００ｃＰｓ、又は５０〜３５０ｃＰｓ、又は１００〜３００ｃＰｓ、又は１５０〜２５０ｃＰｓであってよい。この測定結果は、ＴＡ  Ｉｎｓｔｒｕｍｅｎｔｓ  ＡＲ−５５０レオメータでコーンプレート形状により得ることができる。
【００４５】
印刷領域は、フレキソ印刷又はインクジェット印刷などの標準的な技術を使用して得ることができる。好ましくは、印刷領域はフレキソ印刷を介して得られ、この場合、フィルムが印刷された後、開口区画の形状に成形される。次に、この区画に洗剤組成物が充填され、また区画上方に第２のフィルムが配置され、かつ第１のフィルムへと封止される。印刷領域は、フィルムの片面上にあっても、両面上にあってもよい。
【００４６】
あるいは、フィルムの全部又は少なくとも一部が着色されるように、インク又は顔料をフィルムの製造中に追加してよい。
【００４７】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｐｐｍが挙げられるが、これらに限定されない。
【００４８】
液体洗濯洗剤組成物
水溶性単位用量物品は、液体洗濯洗剤組成物を含む。「液体洗濯洗剤組成物」という用語は、布地を濡らし、処理することが可能な液体を含む、任意の洗濯洗剤組成物を意味し、限定するものではないが、液体、ゲル、ペースト、分散液などが挙げられる。液体組成物は、固体又は気体を適宜分割された形態で含み得るものであるが、液体組成物としては、錠剤又は顆粒等の、全体として非流動性の形態は除外する。
【００４９】
液体洗剤組成物は、布地手洗い操作に使用されてもよいし、自動洗濯機での布地洗濯操作に使用されてもよい。
【００５０】
液体洗濯洗剤組成物は、非石鹸アニオン性界面活性剤と、両性界面活性剤と、を含む。
【００５１】
好ましくは、両性界面活性剤は、アミンオキシドである。より好ましくは、アミンオキシドは、Ｃ１２〜１４ジメチルアミンオキシド又はＣ１２〜１４アミドプロピルジメチルアミンオキシドから選択され、好ましくはＣ１２〜１４ジメチルアミンオキシド、最も好ましくは直鎖状Ｃ１２〜１４ジメチルアミンオキシドから選択される。
【００５２】
典型的な直鎖状アミンオキシドとしては、１つのＲ１  Ｃ８〜１８アルキル部分、並びにＣ１〜３アルキル基及びＣ１〜３ヒドロキシアルキル基からなる群から選択される２つのＲ２及びＲ３部分を含有する水溶性アミンオキシドが挙げられる。好ましくは、アミンオキシドは、式：Ｒ１−Ｎ（Ｒ２）（Ｒ３）Ｏ（式中、Ｒ１は、Ｃ８〜１８アルキルであり、Ｒ２及びＲ３は、メチル、エチル、プロピル、イソプロピル、２−ヒドロキシエチル（hydroxethyl）、２−ヒドロキシプロピル、及び３−ヒドロキシプロピルからなる群から選択され、好ましくはメチルである）によって特徴付けられる。直鎖状アミンオキシド界面活性剤は、特に、直鎖状Ｃ１０〜Ｃ１８アルキルジメチルアミンオキシド及び直鎖状Ｃ８〜Ｃ１２アルコキシエチルジヒドロキシエチルアミンオキシドを含んでもよい。好ましいアミンオキシドとしては、直鎖状Ｃ１０、直鎖状Ｃ１０〜Ｃ１２、及び直鎖状Ｃ１２〜Ｃ１４アルキルジメチルアミンオキシド、最も好ましくは直鎖状Ｃ１２〜１４アルキルジメチルアミンオキシドが挙げられる。
【００５３】
本明細書で使用するとき、「中鎖分岐状」とは、そのアミンオキシドが、ｎ１個の炭素原子を有する１つのアルキル部分と共に、そのアルキル部分上に、ｎ２個の炭素原子を有する１つのアルキル分岐を有することを意味する。アルキル分岐は、アルキル部分上で、窒素に結合したα炭素上に位置する。アミンオキシドにおけるこの種の分岐は、当該技術分野において、内部アミンオキシドとしても知られている。ｎ１とｎ２との合計は、１０〜２４個の炭素原子、好ましくは１２〜２０個、より好ましくは１０〜１６個である。その１つのアルキル部分と１つのアルキル分岐が対称となるように、１つのアルキル部分の炭素原子の数（ｎ１）は、１つのアルキル分岐の炭素原子（ｎ２）とほぼ同じ数でなければならない。本明細書で使用するとき、「対称」とは、本明細書で使用される中鎖分岐状アミンオキシドの少なくとも５０重量％、より好ましくは少なくとも７５重量％〜１００重量％において、｜ｎ１−ｎ２｜が５以下、好ましくは４、最も好ましくは０〜４の炭素原子であることを意味する。
【００５４】
最も好ましいアミンオキシドは、アミンオキシド界面活性剤の少なくとも５０重量％、好ましくは少なくとも６０重量％、より好ましくは少なくとも７５重量％〜１００重量％の直鎖状Ｃ１２〜Ｃ１４アルキルジメチルアミンオキシドを含む。
【００５５】
好ましくは、液体洗濯洗剤組成物は、液体洗剤組成物の０．０１重量％〜２０重量％、好ましくは０．２重量％〜１５重量％、より好ましくは０．５重量％〜１０重量％、最も好ましくは１重量％〜５重量％の両性界面活性剤を含む。
【００５６】
非石鹸アニオン性界面活性剤は、直鎖状アルキルベンゼンスルホネート、アルキルサルフェート、アルコキシル化アルキルサルフェート、又はこれらの混合物から選択され得る。好ましくは、非石鹸アニオン性界面活性剤は、直鎖状アルキルベンゼンスルホネート及びアルコキシル化アルキルサルフェートを含む。好ましくは、直鎖状アルキルベンゼンスルホネートとアルコキシル化アルキルサルフェートの重量比は、２：１〜１：８、好ましくは１：１〜１：５、最も好ましくは１：１．２５〜１：４である。
【００５７】
液体洗濯洗剤組成物は、液体洗剤組成物の５重量％〜４５重量％、好ましくは１０重量％〜４０重量％、より好ましくは１５重量％〜３５重量％、最も好ましくは２０重量％〜３０重量％の非石鹸アニオン性界面活性剤を含み得る。
【００５８】
液体洗濯洗剤組成物は、液体洗濯洗剤組成物の５重量％〜３５重量％、好ましくは５重量％〜２０重量％、より好ましくは５重量％〜１５重量％の非石鹸アニオン性界面活性剤を含み得る。
【００５９】
液体洗濯洗剤組成物は、非イオン性界面活性剤を含み得る。好ましくは、非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択される。
【００６０】
液体洗濯洗剤組成物は、液体洗濯洗剤組成物の１重量％〜２５重量％、好ましくは１．５重量％〜２０重量％、最も好ましくは２重量％〜１５重量％の非イオン性界面活性剤を含み得る。
【００６１】
好ましくは、非石鹸アニオン性界面活性剤と非イオン性界面活性剤との重量比は、１：１〜２０：１、好ましくは１．３：１〜１５：１、より好ましくは１．５：１〜１０：１である。
【００６２】
液体洗剤組成物は、液体洗剤組成物の１重量％〜２５重量％、好ましくは１．５重量％〜２０重量％、より好ましくは１重量％〜２５重量％、好ましくは１．５重量％〜２０重量％、最も好ましくは２重量％〜１５重量％の石鹸を含む。
【００６３】
液体洗濯洗剤組成物は、式（Ｉ）の環状ジアミンを含み得る
【００６４】
【化１】
2019523338.tif 000003
（式中、Ｒのうちの２つは、ＮＨ２、（Ｃ１〜Ｃ４）ＮＨ２、及びこれらの混合物からなる群から選択され、残りのＲは、独立して、Ｈ、１〜１０個の炭素原子を有する直鎖状又は分枝鎖状のアルキル又はアルケニルから選択される）。
【００６５】
用語「環状ジアミン」は、本明細書において、単一の洗浄アミン及びこれらの混合物を包含する。当該アミンは、それが使用される洗浄媒体のｐＨに依存してプロトン化に供され得る。
【００６６】
式（Ｉ）のアミンは、２つの一級アミン官能基を有する環状アミンである。一級アミンは、環における任意の位置に存在し得るが、油脂洗浄の観点で、一級アミンが１，３位に存在するときにより良好な性能を得ることができることが判明している。また、置換基のうちの１つが−ＣＨ３であり、残りがＨであるアミンが油脂洗浄の観点で有利であることも判明している。
【００６７】
好ましくは、式Ｉの「残りのＲ」は、Ｈ、ＣＨ３、及びこれらの混合物から選択される。
【００６８】
式Ｉに関して、ＮＨ２、（Ｃ１〜Ｃ４）ＮＨ２、及びこれらの混合物からなる群から選択される２つのＲは、好ましくは、式ＩのＲ１及びＲ３の位置にある。
【００６９】
環状ジアミンは、
【００７０】
【化２】
2019523338.tif 000004
及びこれらの混合物からなる群から選択され得る。
【００７１】
環状ジアミンは、１，３−ビス（メチルアミン）−シクロヘキサン、２−メチルシクロヘキサン−１，３−ジアミン、４−メチルシクロヘキサン−１，３−ジアミン、及びこれらの混合物からなる群から選択される。
【００７２】
液体洗剤組成物は、液体洗剤組成物の０．１重量％〜５重量％、好ましくは０．１重量％〜２重量％の環状ジアミンを含み得る。
【００７３】
液体洗剤組成物は、非水性溶媒を含み得る。非水性溶媒は、分子量３００及び６００のポリエチレングリコール（ＰＥＧ）ポリマー、ジプロピレングリコール（ＤＰＧ）、ｎブトキシプロポキシプロパノール（ｎＢＰＰ）、１，２−プロパンジオール、１，３−プロパンジオール、グリセロール、エタノール、及びこれらの混合物を含む群から選択され得、好ましくは、非水性溶媒は、ジプロピレングリコール（ＤＰＧ）、ｎブトキシプロポキシプロパノール（ｎＢＰＰ）、１，２−プロパンジオール、グリセロール、及びこれらの混合物を含む群から選択され得る。
【００７４】
液体洗濯洗剤組成物は、洗浄ポリマー又はケアポリマーを含んでよく、好ましくは、洗浄ポリマー又はケアポリマーは、エトキシル化ポリエチレンイミン、アルコキシル化ポリアルキルフェノール、両親媒性グラフトコポリマー、ポリエステルテレフタレート、ヒドロキシエチルセルロール、カルボキシメチルセルロース、又はこれらの混合物から選択され得る。
【００７５】
水溶性単位用量物品は、色相染料、ポリマー、ビルダー、移染防止剤、分散剤、酵素、酵素安定剤、触媒材料、漂白剤、漂白活性化剤、ポリマー分散剤、再付着防止剤、泡抑制剤、審美的染料、乳白剤、香料、香料送達系、構造化剤、ヒドロトロープ、加工助剤、顔料、及びこれらの混合物から選択される、補助成分を含んでもよい。
【００７６】
好ましくは、液体洗濯洗剤組成物は、非ニュートン性である。理論に束縛されることを望むものではないが、非ニュートン液体は、ニュートン液体とは異なる特性を有し、より具体的には、非ニュートン液体の粘度は、剪断速度に依存せず、ニュートン液体は、適用される剪断速度に関わらず一定の粘度を有する。
【００７７】
液体洗濯洗剤組成物は、ＴＡ  Ｒｈｅｏｍｅｔｅｒ  ＡＲ２０００を２５℃で使用して測定したとき、０．５ｓ−１の剪断速度で、少なくとも２Ｐａ・ｓの粘度を有し得、好ましくは、液体洗剤組成物は、ＴＡ  Ｒｈｅｏｍｅｔｅｒ  ＡＲ２０００を２５℃で使用して測定したとき、０．５ｓ−１の剪断速度で、２Ｐａ・ｓ〜３５Ｐａ・ｓ、好ましくは２．５Ｐａ・ｓ〜３０Ｐａ・ａｓ、より好ましくは３Ｐａ・ｓ〜２５Ｐａ・ｓ、更により好ましくは５Ｐａ・ｓ〜２０Ｐａ・ｓ、最も好ましくは１０Ｐａ・ｓ〜１６Ｐａ・ｓの粘度を有する。
【００７８】
作製方法
当業者であれば、当該技術分野における既知の技術を使用して、本発明の単位用量物品及び液体洗濯洗剤組成物を作製する方法を認識するであろう。
【００７９】
本発明の更なる態様は、本発明に係る水溶性単位用量物品を作製する方法であって、液体洗濯洗剤組成物が、非石鹸アニオン性界面活性剤を含むベース組成物を調製し、当該ベース組成物に両性界面活性剤を添加することによって調製され、両性界面活性剤は、
ａ．粉末の形態又は
ｂ．プレミックスの形態で添加され、当該プレミックスが、両性界面活性剤と、好ましくはアルコール、ポリオール、グリコール、又は
ｃ．これらの混合物から選択される非水性溶媒と、を含む、方法である。
【００８０】
両性界面活性剤−非水性溶媒プレミックスは、好ましくは、実質的に非水性であり、すなわち、好ましくは、２０％未満、より好ましくは１０％未満、最も好ましくは５％未満の水を含む。このプレミックスは、好ましくは、プレミックスの少なくとも１０重量％、好ましくは少なくとも２０重量％、より好ましくは少なくとも３０重量％の両性界面活性剤を含む。プレミックスは、プレミックスの最大３５重量％、好ましくは４０重量％、より好ましくは５０重量％、更により好ましくは６０重量％の両性界面活性剤を含み得る。
【００８１】
理論に束縛されることを望むものではないが、単位用量物品内部の水分量を制御するために、アミンオキシドは、好ましくは、実質的に非水性の材料又はプレミックスとして添加される。すなわち、アミンオキシドは、乾燥した実質的に１００％の活性粉末として添加されてもよいし、あるいは、有機溶媒中に予め溶解するか、予め分散させてもよい。これにより、有機溶媒は、フィルムに実質的に影響を与えず、したがって単位用量物品の強度及び完全性に影響しない。
【００８２】
洗浄方法
本発明の更なる態様は、本発明に係る水溶性単位用量物品を十分な水に加えて液体洗剤組成物を少なくとも３００倍に希釈し、洗浄液を作製する工程と、被洗浄物を当該洗浄液に接触させる工程と、を含む、洗浄方法である。
【００８３】
パッケージ製品
本発明の更なる態様は、再封止可能な容器と、当該容器内に含まれる本発明に係る少なくとも１つの水溶性単位用量物品と、を含む、パッケージ製品である。
【００８４】
当業者であれば、適切な保管容器を認識するであろう。好ましくは、保管容器は可撓性であり、好ましくは再密封可能であり、袋物であり、堅く、好ましくは再封止可能であり、タブ型容器又はこれらの混合であり、好ましくは、本保管容器は小児用安全蓋を備える。当業者であれば、好適な小児用安全蓋を認識するであろう。
【００８５】
パッケージは、任意の好適な材料から作製することができる。容器は、金属材料、アルミニウム、プラスチック材料、ボール紙材料、ラミネート、セルロースパルプ材料、又はこれらの混合物から作製することができる。パッケージは、プラスチック材料、好ましくはポリオレフィン材料から作製することができる。パッケージは、ポリプロピレン、ポリスチレン、ポリエチレン、ポリエチレンテレフタレート、ＰＶＣ若しくはこれらの混合物、又はアクリロニトリルブタジエンスチレン（ＡＢＳ）、ポリカーボネート、ポリアミドなどのより耐久性のあるエンジニアリングプラスチックから作製することができる。容器の作製に使用される材料は、着色剤、防腐剤、可塑剤、紫外線安定剤、酸素、香料及び水分バリアリサイクル材料などの他の成分を含み得る。
【００８６】
使用
本発明の更なる態様は、優れた油脂洗浄の利点及び早期破裂した単位用量物品からの液体漏出の減少を提供するための、本発明に係る水溶性単位用量物品内に含まれる液体洗剤組成物中の両性界面活性剤の使用である。
【００８７】
本明細書で開示する寸法及び値は、列挙された正確な数値に厳密に限られるものとして理解されるべきではない。むしろ、特に指示がない限り、そのような寸法のそれぞれは、記載された値及びその値の周辺の機能的に同等の範囲の両方を意味するものとする。例えば、「４０ｍｍ」として開示される寸法は、「約４０ｍｍ」を意味することが意図される。
【実施例】
【００８８】
標準的な混合技術を使用して、以下の洗剤組成物を調製した。
【００８９】
【表１】
2019523338.tif 000005
【００９０】
５０×５０ｍｍの設置面積、２０．７９ｍｍの空洞深さ、及び３４ｍＬの空洞容積を伴う単一区画の水溶性単位用量物品を熱／真空成形により調製し、上記の組成物を充填した。Ｍｏｎｏｓｏｌ社から市販されているＭ８６３０水溶性フィルムを使用した。
【００９１】
参照洗剤組成物を含む参照単位用量物品は、本発明の範囲外であった。実施例Ａの洗剤組成物を含む単位用量物品実施例Ａは、本発明の範囲内であった。
【００９２】
早期破裂放出試験法：
本試験方法は、最大１００ｋＮ（キロニュートン）のロードセルを備えたＩｎｓｔｒｏｎ万能材料試験機（Ｉｎｓｔｒｏｎ  Ｉｎｄｕｓｔｒｉａｌ  Ｐｒｏｄｕｃｔｓ（８２５  Ｕｎｉｖｅｒｓｉｔｙ  Ａｖｅ．，Ｎｏｒｗｏｏｄ，ＭＡ  ０２０６２−２６４３））を使用して、ピンホールを含む単位用量物品から加圧時に流出する液体洗剤組成物の感度を決定する手法について記載する。本方法は、一定圧力（１００Ｎ）で一定時間（３秒）、単位用量物品に圧力を加え、単位用量物品の重量を加圧前と加圧後に計測することによって、単位用量物品から流出した液体洗剤組成物の総量を重量的に決定するものである。
【００９３】
試験は、フィルム／単位用量が加工後に一定状態になる時間を設けるために、単位用量物品の製造後２週間ですぐに実施する。本方法は、４０〜５０％の相対湿度（relative humidity、ＲＨ）及び２２〜２４℃の室内環境で実施する。単位用量物品は、試験に先立って、１時間、試験室環境に平衡化させる。試験直前に、直径１ｍｍの針を用いて、単位用量物品の封止領域の下の側面にピンホールを手で施す。
【００９４】
図１は、液体洗剤放出試験の基本構成の略図を示す。ピンホールを含む単位用量物品から放出された液体洗剤の量を測定するために、参照単位用量物品及び試験単位用量物品５１０を、機器の２つの圧縮プレート５２０と５３０との間に置く。単位用量物品のピンホール５１１の側壁は、単位用量物品から液体洗剤が自由に排出されるように、プレートで覆われないようにする。単位用量物品５１０は、封止フランジ領域５４０を包含する平面が、圧縮プレートによって加えられる力の方向（ｘ方向）に対して水平かつ垂直に位置するように配置される。単一区画単位用量物品及び横並びの多区画単位用量物品について、空洞から洗剤の投入が可能である変形されるフィルムを下側の圧縮プレートと接触させ、封止されているフィルムを上側の圧縮プレートに接触させる。横並びの多区画単位用量物品では、液体洗剤を含む全ての個別の区画に、上述のように、封止領域の真下に穴を設ける。重ね合わせの単位用量物品では、最大容積部分を下側の圧縮プレートに接触させ、穴を１つ設ける。加圧するには、プレート５２０とプレート５３０との間の距離を狭める速度を１５０ｍｍ／分に設定し、１００Ｎの圧力が単位用量物品に達したら、３秒間維持し、その後、圧力を解放する。単位用量物品の重量を加圧前と加圧後に計測する。その差分重量（グラム単位）が、単位用量物品から漏出した洗剤組成物の量に相当する。テストレッグ毎に３回繰り返し、洗剤組成物の平均損失値を報告する。
【００９５】
結果：
【００９６】
【表２】
2019523338.tif 000006
【００９７】
表２のデータから、本発明に係る両性界面活性剤（ＡＯ）（実施例Ａ）の単一変数添加が、圧力を加えたときに、本発明に係る両性界面活性剤を含まない参照液体と比較して、ピンホールを設けた水溶性単位用量物品から漏出する液体の減少につながることは明らかである。
【図１】
2019523338.tif 000008
【国際調査報告】
2019523338.tif 000009
2019523338.tif 000010
2019523338.tif 000011